(57)【要約】【課題】撮影窓の曇りを除去するワイパーを備えた防水ケースを低コストで提供する。【解決手段】筒部４７内にワイパー６０が軸４７ａを中心として回動自在に取り付けられ、トーションバネ５９より図面の反時計方向に付勢されている。ガイドパイプ６５に挿通されたワイヤー６３の一端部がワイパー６０の端部６０ｃに取り付けられ、他端部が被押圧板６９に取り付けられている。防水ケースに収納されたカメラのレンズ鏡筒が電源スイッチのオンにより繰り出されると、レンズ鏡筒の前部によって被押圧板６９が押され、ワイヤー６３が端部６０ｃを押してワイパー６０を時計方向に回動して拭き取り部材６０ｂが撮影窓５０を拭く。電源スイッチをオフにすると、レンズ鏡筒の前部による被押圧板６９の押圧が解除され、トーションバネ５９の付勢力によりワイパー６０が反時計方向に回動して撮影窓５０が拭かれる。【選択図】        図５
2006084527.tif 000002
【特許請求の範囲】
【請求項１】
撮影準備操作に連動して撮影レンズの鏡筒が沈胴位置から撮影可能位置に繰り出されるカメラを水密に収納するケース本体と、このケース本体に前記カメラを収納した状態で前記撮影レンズと対面する部位に設けられ、前記撮影レンズへ向けて外光を透過する透明部材からなる撮影窓とを備えた防水ケースにおいて、
前記ケース本体の内部に設けられ前記撮影準備操作に連動して繰り出される前記鏡筒に係合して前記鏡筒の移動動作を前記撮影窓の近傍まで伝達する伝達部材と、
前記伝達部材に連結されるとともに、前記撮影窓の近傍で待機している初期位置と撮影窓を挟んで反対側の変位位置との間で変位自在に設けられ、前記鏡筒の移動動作に連動して、前記初期位置から前記撮影窓の内面に摺接しながら前記撮影窓を横切り、前記変位位置まで変位される間に前記撮影窓を拭くワイパーと、
を設けたことを特徴とする防水ケース。
【請求項２】
前記ワイパーは、前記変位位置から前記初期位置に向かってバネ付勢されており、撮影終了操作に連動して前記撮影レンズの鏡筒が撮影可能位置から前記沈胴位置に退避する際に、この鏡筒の移動動作に連動して前記変位位置から前記初期位置に戻され、この間に前記撮影窓を拭くことを特徴とする請求項１記載の防水ケース。
【発明の詳細な説明】
【技術分野】
【０００１】
本発明は、カメラを水密に収納する防水ケースに関するものである。
【背景技術】
【０００２】
カメラを用いて水中撮影を行う場合、一般にカメラを水密に収納する防水ケースが用いられる。防水ケースに水密に収納したカメラを水中に入れたとき、ケース内部の温度よりも水温が低い場合には、ケース内部に結露が発生する。これにより、防水ケースに形成された撮影窓が曇り、撮影に影響を与える。
【０００３】
防水ケースの中には、撮影窓の曇りを除去するために、撮影窓のケース内面側を拭く電動式のワイパーを備えたものがある（たとえば、特許文献１参照）。
【特許文献１】特開平５−１９１６９１号公報
【発明の開示】
【発明が解決しようとする課題】
【０００４】
ところが、上記特許文献１記載の防水ケースに設けたワイパーは電動式であるために、モータ及びモータ駆動の制御回路等が必要となり、防水ケースのコストが高くなる欠点がある。
【０００５】
本発明は、上記問題を考慮してなされたもので、撮影窓を拭くワイパーを備えた防水ケースを低コストで提供することを目的とする。
【課題を解決するための手段】
【０００６】
上記目的を達成するにあたり、本発明の防水ケースは、撮影準備操作に連動して撮影レンズの鏡筒が沈胴位置から撮影可能位置に繰り出されるカメラを水密に収納するケース本体と、このケース本体に前記カメラを収納した状態で前記撮影レンズと対面する部位に設けられ、前記撮影レンズへ向けて外光を透過する透明部材からなる撮影窓とを備え、前記ケース本体の内部に設けられ前記撮影準備操作に連動して繰り出される前記鏡筒に係合して前記鏡筒の移動動作を前記撮影窓の近傍まで伝達する伝達部材と、前記伝達部材に連結されるとともに、前記撮影窓の近傍で待機している初期位置と撮影窓を挟んで反対側の変位位置との間で変位自在に設けられ、前記鏡筒の移動動作に連動して、前記初期位置から前記撮影窓の内面に摺接しながら前記撮影窓を横切り、前記変位位置まで変位される間に前記撮影窓を拭くワイパーとを設けたことを特徴とする。
【０００７】
また、前記ワイパーは、前記変位位置から前記初期位置に向かってバネ付勢されており、撮影終了操作に連動して前記撮影レンズの鏡筒が前記撮影可能位置から沈胴位置に退避する際にこの鏡筒の移動動作に連動して、前記変位位置から前記初期位置に戻され、この間に前記撮影窓を拭くことを特徴とする。
【発明の効果】
【０００８】
撮影準備操作に連動して繰り出される撮影レンズの鏡筒の移動動作によってワイパーを変位させるようにしたので、ワイパーを変位させるためのモータや制御回路を不用とすることができ、ワイパーを備えた防水ケースを低コストで提供できる。また、ワイパーを変位位置から初期位置に向かってバネ付勢することにより、撮影終了操作時にもワイパーを変位して撮影窓を拭くことができる。
【発明を実施するための最良の形態】
【０００９】
本発明の防水ケースに収納するカメラとしてのデジタルカメラを示す図１において、デジタルカメラ２のカメラボディ６前面には、撮影レンズ１０を保持するレンズ鏡筒１１と、ストロボ発光部１２と、ファインダ対物窓１６とが組み込まれている。レンズ鏡筒１１は、デジタルカメラ２の電源がオフのときにはカメラボディ内に格納されているが、デジタルカメラ２の電源がオンになると同図破線に示す位置まで突出する。
【００１０】
カメラボディ６上部には、電源スイッチ２０と、レリーズボタン２２とが設けられている。電源スイッチ２０を図中矢印方向にスライドすることで、デジタルカメラ２の電源をオンできる。デジタルカメラ２の電源がオンになると、レンズ鏡筒１１が撮影準備位置まで突出して撮影準備が整う。また、矢印反対方向に電源スイッチ２０をスライドすることで、デジタルカメラ２の電源をオフにできる。デジタルカメラ２の電源がオフになると、レンズ鏡筒１１全体がカメラボディ６内に格納される。レリーズボタン２２を強く押圧すると、撮影レンズ１０から取り込まれた被写体光がデジタルの画像データに変換されてメモリカード１８（図２参照）に書き込まれる。
【００１１】
図２に示すように、カメラボディ６の背面には、液晶ディスプレイ（ＬＣＤ）２４と、ファインダ接眼窓２５と、ズーム操作を行う一対のズームボタン２６と、モード切替等の設定時に操作される３個の操作ボタン３０が形成されている。ＬＣＤ２４は、撮影モード時にスルー画を表示し、再生モード時にメモリカード１８に記憶された画像を表示する。ズームボタン２６を操作して、ズーム操作を行うと、レンズ鏡筒１１が突出方向や格納方向に移動する。カメラボディ６下部には、バッテリー（図示せず）がセットされるバッテリー収納室３３が設けられている。また、カメラボディ６の一方の側面には、前記メモリカード１８を挿入するメモリスロット３４が形成されている。
【００１２】
デジタルカメラ２を水密に収納する防水ケース４０を示す図３，図４において、前ケース４４と後ケース４５とからなる。前ケース４４には、筒部４７が設けられ、この筒部４７の前端部には透明なＦＬ強化ガラスからなる撮影窓５０が形成されている。この撮影窓５０を通して、撮影レンズ１０に被写体光が入射する。筒部４７の内側は、デジタルカメラ２のレンズ鏡筒１１の移動空間となっている。また、前ケース４４の上部には、電源操作部５５とレリーズ操作部５６とが設けられている。
【００１３】
電源操作部５５は、前ケース４４の上部に水密性を保持したままスライド操作自在に組み込まれている。前ケース４４内に突出した電源操作部５５の下部には、これに形成された嵌合穴を介して電源スイッチ２０が嵌合され、電源操作部５５のスライド操作に伴って電源スイッチ２０がオン／オフされる。
【００１４】
レリーズ操作部材５６は、前ケース４４の上部に水密性を保持したまま押圧自在に組み込まれている。レリーズ操作部材５６の下部は前ケース４４内に突出しており、レリーズ操作部材５６の押圧操作に伴ってレリーズボタン２２を押圧する。
【００１５】
後ケース４５には、水密性を保持したままで押圧可能な一対のズームボタン操作レバー５７及び３個の操作レバー５８が組み込まれている。ズームボタン操作レバー５７を押圧すると、ズームボタン操作レバー５７の端部がズームボタン２６を押圧し、操作レバー５８を押圧すると、操作レバー５８の端部が対応した操作ボタン３０を押圧する。後ケース４５には、さらに、ＬＣＤ２４に映し出される画像を確認できる透明部材からなる確認窓７５が設けられている。
【００１６】
筒部４７の内部を示す図５において、撮影窓５０の近傍には、細長い平板状をしたワイパー６０が軸孔６０ａと筒部４７の内壁に植設された軸４７ａとを介して回動自在に取り付けられている。この軸４７ａには、筒部４７の内壁に植設されたピン４７ｂとワイパー６０の縁部との間に掛け渡されたトーションバネ５９が設けられ、ワイパー６０を図面上で反時計方向に付勢している。ワイパー６０の撮影窓５０側の面には、フランネルやスポンジ等の柔らかい材料から形成した拭き取り部材６０ｂが貼付されており、ワイパー６０が回動される度に拭き取り部材６０ｂが撮影窓５０の表面を拭き、撮影窓５０の曇りを除去する。なお、符号４７ｃは、ワイパー６０を初期位置に係止するストッパーである。
【００１７】
前記ワイパー６０の軸４７ａを挟んで拭き取り部材６０ｂと反対側の端部６０ｂには、伝達部材としてのワイヤー６３の一端部が金具６４を介して回動自在に取り付けられている。このワイヤー６３は、筒部４７の内壁に固定されたガイドパイプ６５に挿通して設けられており、ガイドパイプ６５の他方の口から突出したワイヤー６３の他端部が円板状をした被押圧板６９に取り付けられている。この被押圧板６９は、デジタルカメラ２を防水ケース４０内に収納した際に、レンズ鏡筒１１の前部に対峙する位置に設けられており、電源スイッチ２０をオンにする撮影準備操作に連動して繰り出されるレンズ鏡筒１１の前部によって押される。
【００１８】
このように構成された防水ケースの作用を説明する。防水ケース４０内にデジタルカメラ２を収納した直後では、図６（Ａ）に示すように、ワイパー６０は、撮影窓５０の外側でストッパー４７ｃに当接した初期位置にある。電源操作部５５を操作して、デジタルカメラ２の電源をオンにすると、レンズ鏡筒１１が沈胴位置から撮影可能位置に繰り出される。これにより、被押圧板６９がレンズ鏡筒１１の前部によって押され、ワイヤー６３がワイパー６０の端部６０ｃを押すから、ワイパー６０は軸４７ａを中心に回動し、（Ｂ）に示す変位位置に至る。この間に、拭き取り部材６０ｂが撮影窓５０を拭き、撮影窓５０の曇りを除去する。
【００１９】
撮影窓５０を被写体に向け、ズームボタン操作レバー５７等を操作してフレーミングを行い、レリーズ操作部５６を押圧すると、これに連動してレリーズボタン２２が押圧操作され、撮影が行われる。
【００２０】
撮影終了後に、電源操作部５５を操作すると、レンズ鏡筒１１がカメラボディ６内に格納され、デジタルカメラ２の電源がオフになる。このとき、被押圧板６９の押圧が解除され、トーションバネ５９の付勢力によりワイパー６０が軸４７ａ中心に反時計回りに回動し、図６（Ａ）に示す初期位置にもどる。この間に、拭き取り部材６０ｂが撮影窓５０を拭き、撮影窓５０の曇りを除去する。
【００２１】
このように、本発明の防水ケース４０は電源操作部５５を操作し、デジタルカメラ２の電源をオン／オフしたときのレンズ鏡筒１１の移動によって、ワイパー６０が撮影窓５０を拭くから、ワイパーを回動させるためのモータや制御回路が不用となり、低コストで提供できる。
【００２２】
なお、ズームボタン操作レバー５７を操作すると、レンズ鏡筒１１が進退し、ワイパー６０が、図７に示すようにわずかに回動するが、撮影窓５０の外側でのみ回動するから
撮影に影響を及ぼすおそれがない。
【００２３】
上記実施形態では、ワイパーを回動させるようにしたが、平行移動させるようにしてもよい。また、上記実施形態では、デジタルカメラ２の不使用時には、レンズ鏡筒１１全体がカメラボディ６内に格納されていたが、本発明に用いるカメラは、不使用時にレンズ鏡筒全体がカメラ本体内に格納される必要はない。また、本発明の防水ケースは、沈胴式カメラであれば、デジタルカメラに限らず、銀塩フイルムを用いたフイルムカメラにも用いることができる。
【図面の簡単な説明】
【００２４】
【図１】デジタルカメラを前面からみた外観斜視図である。
【図２】デジタルカメラを背面からみた外観斜視図である。
【図３】本発明を実施した防水ケースの前面斜視図である。
【図４】本発明を実施した防水ケースの背面斜視図である。
【図５】筒部内に設けられたワイパー機構を示す図である。
【図６】電源オン／オフ時のワイパーの変位を示す図である。
【図７】ズーミング時のワイパーの可動範囲を示す図である。
【符号の説明】
【００２５】
２  デジタルカメラ
１０  撮影レンズ
２０  電源スイッチ
２２  レリーズボタン
４０  防水ケース
４４  前ケース
４５  後ケース
５０  撮影窓
５５  電源操作部
５７  ズームボタン操作レバー
５９  トーションバネ
６０  ワイパー
６０ｂ  拭き取り部材
６５  ガイドパイプ
６７  ワイヤー
６９  被押圧板
【図１】
2006084527.tif 000003
【図２】
2006084527.tif 000004
【図３】
2006084527.tif 000005
【図４】
2006084527.tif 000006
【図５】
2006084527.tif 000007
【図６】
2006084527.tif 000008
【図７】
2006084527.tif 000009